(57)【要約】      （修正有）【課題】キリとタップが一体のキリタップの使用で、キリによる下孔あけ加工と、タップによるネジ加工を一貫作業とする。【解決手段】キリ１の、通常シャンク部に、タップ４とジョイントする為のジョイント部３を設け、そのジョイント部には、雄ネジを加工する。タップのジョイント部６は、雌ねじを有し、キリと、タップを結合する。キリとタップの結合が終わったら、押ネジ７用の小さなネジ加工をする。先ず、タップジョイント部から、キリジョイント部まで、小さなキリで穴を開け、且つ、タップジョイント部にネジを加工し、押ネジを締めて、キリとタップの結合が、緩まない様にして使用する。キリかタップが、壊れたり、不調の場合は、押ネジを緩め、結合を解いて、壊れた物や不調の物を取り換えて、使用する。【選択図】図１
2012076190.tif 000002
【特許請求の範囲】
【請求項１】
孔あけ加工用キリと、ネジ加工用タップを、ジョイント部で結合し、
一体のものとした事を特徴とするキリタップ。
【請求項２】
前記キリは、一端部に、孔あけ用のキリ先を有し、そのキリ溝は、
他端部の、前記ジョイント部直前まで加工されている、前記ジョイント
部は、ジョイント用雄ネジを有する事を特徴とする、請求項１に記載の
キリタップ。
【請求項３】
前記タップは、ネジ切り加工側一端部に、ジョイント部を有し、前記
ジョイント部は、内ネジを有し、前記内ネジは、前記雄ネジと結合でき
る、雌ネジを有し、前記タップは、他端部にシャンクを有する事を特徴
とする請求項１.２の何れか一項に記載のキリタップ。
【発明の詳細な説明】
【技術分野】
【０００１】
本発明は、鋼材等のネジ加工をする際に使用する、キリとタップを  
ネジで結合して、一体のものとし、穴あけ作業から、そのまま、
タッピング作業に入り、穴あけからネジ加工までの、所要時間を短縮
する方法を提供するものである。
【背景技術】
【０００２】
現在、鋼材等にネジ加工する際に、まず、ドリルを使い、キリで、
下孔をあけ、次にタッパーを使い、タップで雌ネジを加工します。
その為に、ドリルとタッパーの２種類の工具を使用します。
【０００３】
もう一つの方法は、可変速が出来て、正転、逆転の出来るドリルで
まず、キリで下孔をあけ、次に、チャックを緩めて、キリを外し、
タップを付けて、タップでネジを加工する方法が有ります。      
【０００４】
この場合は、使用する、電動工具は一種類ですが、キリとタップを
付け替える、作業が、発生します。
【先行技術文献】
【特許文献】
【０００５】
【特許文献１】特開平6-297244号
【特許文献２】特開平10-146721号
【発明の概要】
【発明が解決しようとする課題】
【０００６】
キリを使っての下孔加工は、高速回転で、キリを回転させても
キリは、問題ない、しかし、タップは、高速回転では、折れて
しまいます。
【０００７】
キリとタップを一体物で加工しようとすると、加工難度が非常に
高くなり、生産コストが非常に高くなる。
【０００８】
キリが折れた時に、タップ部分は、正常なのに、使えなくなる。
製品が、高いものなので、何とか再利用したい。
【課題を解決するための手段】
【０００９】
孔あけ加工用キリと、ネジ加工用タップを、ジョイント部で結合し、
一体のものとした事を特徴とするキリプラスタップ。
【００１０】
キリは、一端部に、孔あけ用のキリ先を有し、そのキリ溝は、
他端部の、ジョイント部直前まで加工されている、ジョイント部は、
ジョイント用雄ネジを有する。
【００１１】
タップは、ネジ切り加工側一端部に、ジョイント部を有し、
ジョイント部は、内ネジを有し、内ネジは、雄ネジと結合できる、
雌ネジを有し、タップは、他端部にシャンクを有する。
【００１２】
キリの雄ネジを、タップの雌ネジにネジ込んで、組立後、ネジコミ
部が、緩まない様に、ジョイント部の外から、押ネジで押して、固定
します。
【００１３】
組立後、使用段階では、ジョイント部は、緩衝地帯と成ります。
キリ部で、高速で孔明け加工し、キリ部を通りぬけて、ジョイント部に
入ると、一度、電動工具を停止します。
【００１４】
次に、タップを加工する時は、キリであけた下孔に、タップを押し
当て、電動工具を正回転で、低速で、回転させ、タップ加工します。
タップ加工が、完了したら、低速逆回転で引きもどし、ジョイント部
まで戻ります。
【００１５】
ジョイント部に着いたら、電動工具を停止し、停止を確認し、キリ部
からも引き抜き、穴加工とネジ加工を完了します。
【００１６】
キリ部とタップ部の間に、ジョイント部として、緩衝地帯を設けた
事で、高速加工エリアと、低速加工エリアとの間に、電動工具の停止
可能エリアが出来て、使いやすくなる。
【００１７】
ジョイント部で外せるので、不良になった方だけの、交換が出来る
【発明の効果】
【００１８】
今まで、タップ加工は、電動工具を２台準備するか、１台だったら
キリとタップを付け替えるかの、手間がかかっていた。
このキリプラスタップを使用すると、タップ加工は、１回で済み、作業
効率があがり、省エネルギーに貢献できる。
【図面の簡単な説明】
【００１９】
【図１】キリとタップの結合イメージ図
【符号の説明】
【００２０】
１            キリ本体
２            キリ先部
３            キリジョイント部
４            タップ本体
５            タップの切ってある部
６            タップジョイント部
７            押ネジ
８            タップシャンク
【発明を実施するための形態】
【００２１】
以下、本発明の実施の形態を図に基づいて説明する。
現在、鋼板等に、器具を取付ける為に、ビスやボルトを使いますが、
その為には、ネジが無いといけません。ネジを加工する際に、現在は、
先ず、キリで下孔をあけ、その後、電動工具を取り換えるか、キリを
タップに取り換えるかして、ネジ加工を施します。
【００２２】
使いたいビスやボルトのサイズで、使用するキリのサイズが、
決まってきます。キリが、細すぎると、タップ加工が、出来ないか
苦労するか、タップが折れるかしますし、太すぎると、あいた下孔が、
大きく成り、タップが緩すぎるか、もしくは、タップ加工が、出来
なく成ります。
ちなみに、キリとタップの関係で、最良の組合せ、下記の通りです。
タップサイズ        キリサイズ
4mmタップ         3.2φキリ
5mmタップ         4.2φキリ
6mmタップ        
5.2φキリ
8mmタップ         7.2φキリ
10mmタップ         9.0φキリ
【００２３】
図１の左側のキリ１は、従来、市販されているキリの、シャンク
部をジョイント部３として、雄ネジを切っています。この雄ネジが、
タップの、ジョイント部の雌ネジと結合されます。
【００２４】
図１の右側のタップ４は、市販品のタップと違い、ジョイント部
６が、増えています。ジョイント部６は、内部に雌ネジを有し、
キリ１のジョイント部３の雄ネジと、結合します。
【００２５】
キリ１は、高速の正回転の領域です。タップ４は、タップを切る
時は、低速正転で、帰りは、低速逆転の領域です。ジョイント部は、
キリとタップの境界に有り、緩衝地帯として、停止エリアです。
キリからタップに移る時、一時停止し、タップからキリに移る時、
一時停止します。
【００２６】
キリ１とタップ４の結合が終わったら、押ネジ用の小さなネジ
加工をします。先ず、タップジョイント部６から、キリジョイント
部３まで、小さなキリで、貫通し且つ、ネジを加工し、押ネジ
７を締めて、結合が、緩まない様にして使用します。
【００２７】
キリ１かタップ４が、壊れたり、不調の場合は、押ネジを緩め、
結合を解いて、不調の物を取り換えて、使用します。
【図１】
2012076190.tif 000003